(57)【要約】【課題】表皮を見栄えよく張ることができる内装パネルを提供する。【解決手段】本内装パネル１は、略多角形状のパネル本体３と、パネル本体を包み込むように覆う表皮５と、を備える。パネル本体の裏面側の少なくとも１つの角部１５には溝部１７が形成されており、表皮には、溝部が形成された角部に対応する位置に、つまみ縫いにより形成された縫い部１９が配されており、表皮は、縫い部が溝部に挿入された状態で、パネル本体を覆っていることを特徴とする。この内装パネルは、溝部が２以上の角部のそれぞれに形成されていることができる。また、パネル本体の裏面側には、表皮の縁部を引っ掛けるための断面略Ｊ字状の係止部材１１が、略多角形状の各辺に沿って配されており、溝部は、これら複数の係止部材の間に形成されていることができる。【選択図】図７
2015031127.tif 000002
【特許請求の範囲】
【請求項１】
略多角形状のパネル本体と、
前記パネル本体を包み込むように覆う表皮と、を備えた内装パネルであって、
前記パネル本体の裏面側の少なくとも１つの角部には溝部が形成されており、
前記表皮には、前記溝部が形成された前記角部に対応する位置に、つまみ縫いにより形成された縫い部が配されており、
前記表皮は、前記縫い部が前記溝部に挿入された状態で、前記パネル本体を覆っていることを特徴とする内装パネル。
【請求項２】
前記溝部は２以上の前記角部のそれぞれに形成されている請求項１記載の内装パネル。
【請求項３】
前記パネル本体の裏面側には、前記表皮の縁部を引っ掛けるための断面略Ｊ字状の係止部材が、前記略多角形状の各辺に沿って配されており、
前記溝部は、複数の前記係止部材の間に形成されている請求項１又は２記載の内装パネル。
【請求項４】
前記溝部は、前記角部を略２等分するような形態で形成されており、
前記溝部の幅は、外方に向かうにつれて幅狭となっている請求項１乃至３のいずれか一項に記載の内装パネル。
【請求項５】
前記縫い部の近傍には把持部が形成されている請求項１乃至４のいずれか一項に記載の内装パネル。
【発明の詳細な説明】
【技術分野】
【０００１】
本発明は、内装パネルに関し、さらに詳しくは、表皮を見栄えよく張ることができる内装パネルに関する。
【背景技術】
【０００２】
従来、住宅等の建築物の内壁面に、装飾用の内装パネルを取り付けることが行われている。このような内装パネルは、壁面への着け外しが容易な構成としておくことにより、壁紙等による壁面装飾と比較して、壁の意匠の変更を容易に行うことができる。
また、上記内装パネルとして、パネル本体を表皮で包み込むように覆ってなるものが知られている（例えば、特許文献１参照）。
【先行技術文献】
【特許文献】
【０００３】
【特許文献１】実登第３１３７３１８号
【発明の概要】
【発明が解決しようとする課題】
【０００４】
ところで、装飾を目的とする内装パネルには、しわの発生や張りの偏り等のないように表皮が張られていることが求められる。しかしながら、上記特許文献１では、そのための提案等は特に示されていない。
【０００５】
本発明は、上記現状に鑑みてなされたものであり、表皮を見栄えよく張ることができる内装パネルを提供することを目的とする。
【課題を解決するための手段】
【０００６】
上記問題を解決するために、請求項１に記載の発明は、略多角形状のパネル本体と、
前記パネル本体を包み込むように覆う表皮と、を備えた内装パネルであって、
前記パネル本体の裏面側の少なくとも１つの角部には溝部が形成されており、
前記表皮には、前記溝部が形成された前記角部に対応する位置に、つまみ縫いにより形成された縫い部が配されており、
前記表皮は、前記縫い部が前記溝部に挿入された状態で、前記パネル本体を覆っていることを要旨とする。
請求項２に記載の発明は、請求項１において、前記溝部は２以上の前記角部のそれぞれに形成されていることを要旨とする。
請求項３に記載の発明は、請求項１又は２において、前記パネル本体の裏面側には、前記表皮の縁部を引っ掛けるための断面略Ｊ字状の係止部材が、前記略多角形状の各辺に沿って配されており、
前記溝部は、複数の前記係止部材の間に形成されていることを要旨とする。
【０００７】
請求項４に記載の発明は、請求項１乃至３のいずれか一項において、前記溝部は、前記角部を略２等分するような形態で形成されており、
前記溝部の幅は、外方に向かうにつれて幅狭となっていることを要旨とする。
請求項５に記載の発明は、請求項１乃至４のいずれか一項において、前記縫い部の近傍には把持部が形成されていることを要旨とする。
【発明の効果】
【０００８】
本発明の内装パネルによると、略多角形状のパネル本体と、このパネル本体を包み込むように覆う表皮と、を備えている。パネル本体の裏面側の少なくとも１つの角部には溝部が形成されている。表皮には、溝部が形成された角部に対応する位置に、つまみ縫いにより形成された縫い部が配されている。そして、表皮は、縫い部が溝部に挿入された状態で、パネル本体を覆っている。このように、縫い部が溝部に挿入されていることにより、表皮の位置がパネル本体に対して規定される。従って、表皮を張る際に、しわや張りの偏り等が生じるのが抑制され、表皮が見栄えよく張られた内装パネルとすることができる。
また、溝部は２以上の角部のそれぞれに形成されている場合は、表皮の位置がパネル本体に対してより確実に規定され、表皮を張る際のしわや張りの偏り等の発生を確実に抑制できる。
また、パネル本体の裏面側には、表皮の縁部を引っ掛けるための断面略Ｊ字状の係止部材が、略多角形状の各辺に沿って配されており、溝部は、複数の係止部材の間に形成されている場合は、係止部材を取り付けるという簡易な作業で溝部を容易に形成できる。また、係止部材を用いることにより、表皮の縁部を容易かつ確実に係止することができる。
また、溝部は、角部を略２等分するような形態で形成されており、溝部の幅は、外方に向かうにつれて幅狭となっている場合は、角部の先端側での縫い部の位置をより厳密に規定することができるので、表皮のパネル本体に対しての位置をより確実に規定することができる。
また、縫い部の近傍に把持部が形成されている場合は、溝部に挿入した縫い部を引っ張り出すなど、把持部を把持して引っ張ることにより表皮をパネル本体から容易に取り外すことができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る内装パネルの斜視図である。
【図２】実施例に係る内装パネルの断面図である。
【図３】実施例に係る内装パネルの分解斜視図である。
【図４】実施例に係る角部の拡大平面図である。
【図５】実施例に係る内装パネルの要部拡大断面図である。
【図６】実施例に係る表皮を説明するための説明図である。
【図７】実施例に係る内装パネルの作用を説明するための説明図である。
【図８】実施例に係る内装パネルの作用を説明するための説明図である。
【図９】実施例に係る内装パネルの作用を説明するための説明図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
本実施形態に係る内装パネル（１）は、略多角形状のパネル本体（３）と、パネル本体（３）を包み込むように覆う表皮（５）と、を備えた内装パネル（１）である。パネル本体（３）の裏面側の少なくとも１つの角部（１５）には溝部（１７）が形成されている。表皮（５）には、溝部（１７）が形成された角部（１５）に対応する位置に、つまみ縫いにより形成された縫い部（１９）が配されている。そして、表皮（５）は、縫い部（１９）が溝部（１７）に挿入された状態で、パネル本体（３）を覆っている。
【００１２】
パネル本体（３）は、略多角形状の形態のものであれば特に限定されない。例えば、略長方形状、略正方形状等の四角形や、三角形、五角形、六角形、八角形等が挙げられる。これらのパネル本体（３）では、角部に丸みが付けられていてもよい。
パネル本体（３）の材質は特に限定されない。例えば、樹脂製、金属製、木製、その他の材質であることができる。また、これらの部材を組み合わせたものであってもよい。例えば、合板等からなるベース板（７）の表面に樹脂発泡体等のパッド（９）を貼り合わせたもの等を採用することができる。
【００１３】
表皮（５）は、パネル本体（３）を包み込むように覆う限り、その大きさ、形状、材質等は特に限定されない。表皮（５）としては、例えば、織布、不織布、編布等を採用することができる。また、表皮（５）には、図柄、模様等の装飾が施されていることができる。
【００１４】
本実施形態に係る内装パネル（１）としては、例えば、上記溝部（１７）が２以上の上記角部（１５）のそれぞれに形成されている形態を挙げることができる（例えば、図３，図７等参照）。
【００１５】
本実施形態に係る内装パネル（１）としては、例えば、パネル本体（３）の裏面側には、表皮（５）の縁部（２１）を引っ掛けるための断面略Ｊ字状の係止部材（１１）が、略多角形状の各辺に沿って配されており、溝部（１７）は、複数の係止部材（１１）の間に形成されている形態を挙げることができる（例えば、図７、図８等参照）。
【００１６】
本実施形態に係る内装パネル（１）としては、例えば、溝部（１７）は、角部（１５）を略２等分するような形態で形成されており、溝部（１７）の幅は、外方に向かうにつれて幅狭となっている形態を挙げることができる（例えば、図４等参照）。
【００１７】
本実施形態に係る内装パネル（１）としては、例えば、縫い部（１９）の近傍に把持部（２５）が形成されている形態を挙げることができる（例えば、図１、図３、図７、図８等参照）。把持部（２５）は、表皮と一体に形成されていてもよいし、別体の部材を縫い付けることにより形成されていてもよい。
【００１８】
なお、上記実施形態で記載した各構成の括弧内の符号は、後述する実施例に記載の具体的構成との対応関係を示すものである。
【実施例】
【００１９】
以下、図面を用いて実施例により本発明を具体的に説明する。
１．内装パネルの構成
本実施例に係る内装パネル１は、図１〜図３に示すように、パネル本体３と、表皮５と、を備えている。
パネル本体３は平面視略正方形状をなしている。図２及び図３に示すように、パネル本体３は、ベース板７の表面にパッド９を貼り合わせてなる。本実施例では、ベース板７は合板、パッド９は発泡ウレタンをそれぞれ採用している。
【００２０】
本実施例において、パネル本体３の裏面側には係止部材１１が配されている。係止部材１１は、パネル本体３の四辺に沿って配されている。係止部材１１は、車両用シートの表皮の固定に用いられる断面略Ｊ字状のいわゆるＪフックを採用している。このＪフックは樹脂製で可撓性を有している。各係止部材１１には、後述する表皮５の各辺の縁部がそれぞれ引っ掛けられる。各係止部材１１は、ステープル（図示せず）によりパネル本体３に固定されている。
なお、パネル本体３の裏面側には、本内装パネル１を壁に取り付けるための取付部材１３が配されている。取付部材１３は、係止部材１１と略同様のＪフックが採用されており、内装パネル１は、取付部材１３により壁に引っ掛けられて取り付けられる。
【００２１】
パネル本体３の裏面側の各角部１５には、溝部１７が形成されている。図４に示すように、本実施例では、溝部１７は、各係止部材１１をそれらの端部間に隙間を設けて配するようにしたことにより形成されている。各溝部１７は、角部１５を２等分するような形態で形成されている。また、各溝部１７は、その幅が外方（角部１５の先端方向）に向かうにつれて幅狭になるように形成されている。
【００２２】
表皮５は、パネル本体３をパッド９側から包み込むように覆っている。この表皮５は織布からなる。図３に示すように、表皮５のパネル本体３に取り付けられる前の形状は略正方形状である。
表皮５には、つまみ縫いにより形成された縫い部１９が配されている。縫い部１９は、パネル本体３の溝部１７が形成された角部１５に対応するように設けられている。表皮５は、これら各縫い部１９が各溝部１７にそれぞれ挿入された状態で、パネル本体３を覆っている。
【００２３】
また、表皮５の各辺の縁部２１は係止部材１１に引っ掛けられており、これにより表皮５がパネル本体３に係止されている。縁部２１は、図５に示すように、表皮５となる布の各辺の縁を、樹脂プレート２３を挟み込むように折り返し、これを縫い合わせて形成されている。
また、縫い部１９の近傍には把持部２５が形成されている。把持部２５は、表皮５がパネル本体３に取り付けられた状態では、係止部材１１からはみ出すように配することができるようになっている。この把持部２５は、図６に示すように、表皮５の縫い部１９の近傍の切り落とされる部分の一部を利用して形成されており、表皮５と一体的に形成されている。
【００２４】
２．内装パネルの作用
次に、本実施例に係る内装パネルの作用について説明する。
パネル本体３に表皮５を張る際には、最初に、角部１５の位置に縫い部１９を合わせて、パネル本体３に表皮５を合わせる。このとき、図７に示すように、縫い部１９が上方を向くように載置した表皮５の上に、パッド９側の面を下にしてパネル本体３を合わせるようにすると位置を合わせやすい。
【００２５】
次に、図８に示すように、各縫い部１９を、それぞれに対応する溝部１７に挿入する。これにより、表皮５の位置がパネル本体３に確実に規定される。このとき、縫い部１９はつまみ縫いにより形成されていることから、溝部１７への挿入も容易である。また、溝部１７が角部１５を２等分するような形態で形成されているとともに、溝部１７の幅が外方に向かうにつれて幅狭となっていることから、パネル本体３に対する表皮５の位置は、より厳密に規定される。さらに、溝部１７が、Ｊ字状の断面を有する各係止部材１１同士の間に形成されていることから、縫い部１９の大きさが溝部１７の空間に収容しきれないような大きさだった場合でも、縫い部１９の余剰部分が係止部材１１のＪ字をなす部分の内側空間に収容される。従って、縫い部１９の余剰部分が内装パネル１の裏面に突出してしまうことがない。
【００２６】
最後に、図９に示すように、表皮５の各辺の縁部２１を係止部材１１に引っ掛ける。この縁部２１には樹脂プレート２３が配されていることから、係止部材１１に確実に係止される。また、四辺の縁部２１が係止部材１１に係止された表皮５には、適度な張りが付与され、見栄えがよい。
【００２７】
３．実施例の効果
以上より、本実施例の内装パネル１によると、略多角形状のパネル本体３と、このパネル本体３を包み込むように覆う表皮５と、を備えている。パネル本体３の裏面側の角部１５には溝部１７が形成されている。表皮５には、溝部１７が形成された角部１５に対応する位置に、つまみ縫いにより形成された縫い部１９が配されている。そして、表皮５は、縫い部１９が溝部１７に挿入された状態で、パネル本体３を覆っている。
このように、縫い部１９が溝部１７に挿入されていることにより、表皮５の位置がパネル本体３に対して規定される。従って、表皮５を張る際に、しわや張りの偏り等が生じるのが抑制され、表皮５が見栄えよく張られた内装パネル１とすることができる。
【００２８】
また、本実施例では、溝部１７は４つの角部１５のそれぞれに形成されているので、表皮５の位置がパネル本体３に対してより確実に規定され、表皮５を張る際のしわや張りの偏り等の発生をより確実に抑制できる。
【００２９】
また、本実施例では、パネル本体３の裏面側には、表皮５の縁部２１を引っ掛けるための断面略Ｊ字状の係止部材１１が、略多角形状の各辺に沿って配されており、溝部１７は、複数の係止部材１１の間に形成されている。この場合、係止部材１１を取り付けるという簡易な作業で溝部１７を容易に形成できる。また、係止部材１１を用いることにより、表皮５の縁部２１を容易かつ確実に係止することができる。
【００３０】
また、本実施例では、溝部１７は、角部１５を略２等分するような形態で形成されており、溝部１７の幅は、外方に向かうにつれて幅狭となっている。このため、角部１５の先端側での縫い部１９の位置をより厳密に規定することができる。その結果、表皮５のパネル本体３に対しての位置をより確実に規定することができる。
【００３１】
また、本実施例では、縫い部１９の近傍に把持部２５が形成されているので、溝部１７に挿入した縫い部１９を引っ張り出したり、係止部材１１に係止された表皮５の縁部２１を引っ張り出したりする場合など、把持部２５を把持して引っ張ることにより表皮５をパネル本体３から容易に取り外すことができる。
【００３２】
尚、本発明においては、上記実施例に限られず、目的、用途に応じて本発明の範囲内で種々変更した実施例とすることができる。即ち、上記実施例では、略正方形状の内装パネル１を用いたが、略多角形状のものであれば特に限定されず、例えば、略長方形状のパネルであってもよい。
【００３３】
また、上記実施例では、溝部１７を、各係止部材１１をそれらの端部間に隙間を設けて配するようにしたことにより形成する例を示したが、これに限定されず、例えば、パネル本体の裏面に切り込みを入れるなどして溝部を形成するようにしてもよい。
【００３４】
また、上記実施例では、係止部材１１として、Jフックを採用し、これにより表皮５の各辺の縁部を引っ掛けて表皮５を取り付ける例を示したが、これに限定されず、例えば、ステープル等により表皮をパネル本体に直接とりつけるようにしてもよいし、表皮及びパネル本体にそれぞれ面ファスナーを貼り付けて、これらの係合により取り付けるようにしてもよい。
【００３５】
また、上記実施例では、把持部２５を備える形態を例示したが、これに限定されず、例えば、把持部を備えない形態であってもよい。
【００３６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３７】
本発明は上記で詳述した実施形態に限定されず、本発明の請求項に示した範囲で様々な変形または変更が可能である。
【産業上の利用可能性】
【００３８】
内装パネルに関する技術として広く利用される。特に、建築物の壁面で使用される内装パネルに関する技術として好適に利用される。
【符号の説明】
【００３９】
１；内装パネル、３；パネル本体、５；表皮、７；ベース板、９；パッド、１１；係止部材、１３；取付部材、１５；角部、１７；溝部、１９；縫い部、２１；縁部、２３；樹脂プレート、２５；把持部。
【図１】
2015031127.tif 000003
【図２】
2015031127.tif 000004
【図３】
2015031127.tif 000005
【図４】
2015031127.tif 000006
【図５】
2015031127.tif 000007
【図６】
2015031127.tif 000008
【図７】
2015031127.tif 000009
【図８】
2015031127.tif 000010
【図９】
2015031127.tif 000011